(57)【要約】【課題】  管内に挿入してある挿入体を索状体で管外から牽引して、曲り管部を経由して移動させるような場合に、挿入体が曲り管部で引っ掛かっても、その引っ掛かりを容易に解消できるようにする。【解決手段】  管Ｄ内に挿入してある挿入体Ｂを索状体１で管外から牽引するために、その挿入体に設けてあるガイド装置であって、挿入体の牽引方向下手側端部に、管内面に対して接触可能な接触部材１７を、挿入体に対して牽引方向に弾性変位自在に設けてある。【選択図】        図４
2005233307.tif 000002
【特許請求の範囲】
【請求項１】
管内に挿入してある挿入体を索状体で管外から牽引するために、その挿入体に設けてあるガイド装置であって、
前記挿入体の牽引方向下手側端部に、管内面に対して接触可能な接触部材を、前記挿入体に対して牽引方向に弾性変位自在に設けてあるガイド装置。
【請求項２】
前記接触部材を、前記牽引方向に対して直交又は略直交する方向に突出する弾性材で構成してある請求項１記載のガイド装置。
【請求項３】
前記弾性材を、管周方向に沿って接触可能な襞状に形成してある請求項２記載のガイド装置。
【請求項４】
前記挿入体が、管内遮断用ガスバッグのバッグ本体であり、前記索状体が、前記バッグ本体を膨らませるためにそのバッグ本体に連通接続してある空気供給用ホースである請求項１〜３のいずれか１項記載のガイド装置。
【請求項５】
前記接触部材の管内面に対する接触部位に滑剤を塗布してある請求項１〜４のいずれか１項記載のガイド装置。
【発明の詳細な説明】
【技術分野】
【０００１】
本発明は、管内に挿入してある挿入体を索状体で管外から牽引するために、その挿入体に設けてあるガイド装置に関する。
【背景技術】
【０００２】
例えば、管内径よりも長尺のバッグ本体と、そのバッグ本体を膨らませるために連通接続してある空気供給用ホースとを備えた管内遮断用ガスバッグを使用して管内を遮断する場合、収縮させたバッグ本体をホースで管内の遮断予定箇所に押し込んで、そのバッグ本体を膨らませて管内を遮断したあと、バッグ本体を収縮させて管外に回収する必要があり、従来、牽引方向両端部を硬質の保形部材で構成してあるバッグ本体を、牽引方向下手側端部を構成する保形部材を介してバッグ本体に連通接続してあるホースを引っ張ることにより管外から牽引して回収している(例えば、特許文献１参照)。
【０００３】
【特許文献１】特開２００２−１６８３９１号公報
【発明の開示】
【発明が解決しようとする課題】
【０００４】
このため、図６に示すように、曲り管部Ｅを経由してバッグ本体Ｂを管外に回収したい場合、バッグ本体Ｂが曲り管部Ｅで引っ掛かって牽引が困難になることがあり、作業性が低下する欠点がある。
つまり、管内径よりも長尺のバッグ本体Ｂが曲り管部Ｅを通過する際には、バッグ本体Ｂの牽引方向下手側端部が、ホース１によって曲り管部Ｅの曲り径方向内方側に引き寄せられて、その牽引方向下手側端部が管内面側に押し付けられるが、バッグ本体Ｂの長手方向とホース１による牽引方向との交差角が大きいので、更に牽引しても、バッグ本体Ｂをその長手方向に引っ張る引っ張り力が殆ど大きくならないからである。
本発明は上記実情に鑑みてなされたものであって、管内に挿入してある挿入体を索状体で管外から牽引して、曲り管部を経由して移動させるような場合に、挿入体が曲り管部で引っ掛かっても、その引っ掛かりを容易に解消できるようにすることを目的とする。
【課題を解決するための手段】
【０００５】
本発明の第１特徴構成は、管内に挿入してある挿入体を索状体で管外から牽引するために、その挿入体に設けてあるガイド装置であって、前記挿入体の牽引方向下手側端部に、管内面に対して接触可能な接触部材を、前記挿入体に対して牽引方向に弾性変位自在に設けてある点にある。
【０００６】
〔作用及び効果〕
挿入体の牽引方向下手側端部に、管内面に対して接触可能な接触部材を、挿入体に対して牽引方向に弾性変位自在に設けてあるので、図４に例示するように、管内に挿入した挿入体Ｂを索状体１で管外から牽引して、曲り管部Ｅを経由して移動させるような場合に、挿入体Ｂが曲り管部Ｅで引っ掛かっても、その引っ掛かりを容易に解消できる。
つまり、管内径よりも長尺のバッグ本体Ｂが曲り管部Ｅを通過する際に、バッグ本体Ｂの牽引方向下手側端部が、ホース１によって曲り管部Ｅの曲り径方向内方側に引き寄せられて、図４（イ）に示すように、その牽引方向下手側端部が、挿入体Ｂに対して牽引方向に弾性変位自在に設けてある接触部材１７を介して管内面側に押し付けられ、その結果、接触部材１７と管内面側との摩擦力などにより、接触部材１７の管内面側に対する接触部位の移動抵抗が大きくなって、その接触部位が牽引方向に移動しない場合でも、図４（ロ）に示すように、索条体１で更に強く牽引することで、接触部材１７の挿入体Ｂに対する牽引方向への弾性変位によって、挿入体Ｂを牽引方向下手側に移動させることができる。
そして、この状態から、索条体１による牽引力を緩めると、接触部材１７の管内面に対する押圧力が小さくなって、接触部位の移動抵抗も小さくなり、図４（ハ）に示すように、接触部材１７が挿入体Ｂに対して弾性復帰するように移動する。
従って、挿入体が曲り管部を通過する際に引っ掛かった場合には、その挿入体を索状体で強く牽引する操作と、牽引を緩める操作とを必要に応じて繰り返すことにより、挿入体を牽引方向に前進させながら、その引っ掛かりを容易に解消できる。
【０００７】
本発明の第２特徴構成は、前記接触部材を、前記牽引方向に対して直交又は略直交する方向に突出する弾性材で構成してある点にある。
【０００８】
〔作用及び効果〕
接触部材を、牽引方向に対して直交又は略直交する方向に突出する弾性材で構成してあるので、スプリングなどで支持することなく弾性変位自在に設けて、構造の簡略化を図りながら、挿入体が曲り管部で引っ掛かった場合に、接触部材の管内面側に対する接触部位の挿入体に対する牽引方向への弾性変位量を大きく確保し易く、接触部位が牽引方向に移動しない場合における、挿入体の牽引方向下手側への移動量を大きくして、引っ掛かりを効率良く解消できる。
【０００９】
本発明の第３特徴構成は、前記弾性材を、管周方向に沿って接触可能な襞状に形成してある点にある。
【００１０】
〔作用及び効果〕
牽引方向に対して直交又は略直交する方向に突出する弾性材を、管周方向に沿って接触可能な襞状に形成してあるので、挿入体の管内面に対する管周方向に沿う姿勢にかかわらず、挿入体が曲り管部で引っ掛かった場合に、接触部材を管内面側に対して確実に接触させることができる。
【００１１】
本発明の第４特徴構成は、前記挿入体が、管内遮断用ガスバッグのバッグ本体であり、前記索状体が、前記バッグ本体を膨らませるためにそのバッグ本体に連通接続してある空気供給用ホースである点にある。
【００１２】
〔作用及び効果〕
挿入体が、管内遮断用ガスバッグのバッグ本体であり、索状体が、バッグ本体を膨らませるためにそのバッグ本体に連通接続してある空気供給用ホースであるので、バッグ本体を膨らませて管内を遮断したあと、バッグ本体を収縮させて、曲り管部を経由して管外に回収する場合に、バッグ本体が曲り管部を通過する際に引っ掛かっても、その引っ掛かりを容易に解消できる。
【００１３】
本発明の第５特徴構成は、前記接触部材の管内面に対する接触部位に滑剤を塗布してある点にある。
【００１４】
〔作用及び効果〕
接触部材の管内面に対する接触部位に滑剤を塗布してあるので、接触部位の管内面側に対する移動抵抗が小さくなったときに、その接触部位を管内面に対して滑らせて、接触部材を挿入体に対して弾性復帰するように移動させ易い。
【発明を実施するための最良の形態】
【００１５】
以下に本発明の実施の形態を図面に基づいて説明する。尚、図面において従来例と同一の符号で表示した部分は、同一又は相当の部分を示している。
〔第１実施形態〕
図１，図２は、都市ガス供給用の既設管Ｄ内に挿入可能な挿入体の一例である管内径よりも長尺のバッグ本体Ｂに、可撓性を備えた樹脂製空気供給用ホース１を連通接続してある管内遮断用ガスバッグＣを示し、ホース１を通して供給した加圧空気で、図２に示すように、バッグ本体Ｂを管内面に密着するように膨らませて、既設管Ｄ内を遮断できるように構成してあり、ホース１を索状体に兼用して、管内に挿入してあるバッグ本体Ｂをホース１で引っ張って管外から牽引するための本発明によるガイド装置Ａをそのバッグ本体Ｂに設けてある。
【００１６】
前記バッグ本体Ｂは、手動ポンプなどでホース１を通して供給する加圧空気で拡径するように膨らませる円筒状バッグ２に、天然ゴムなどの柔軟で弾性変形自在な材料で形成してある円筒体３を外嵌して、図２に示すように、既設管Ｄ内で円筒状バッグ２を円筒体３とともに拡径変形させて、既設管Ｄ内を遮断できるように構成してある。
【００１７】
前記円筒状バッグ２は、天然ゴムやクロロプレンゴム等の合成ゴム材料で形成してある円筒部材４の両端に、硬質材料で形成した先端保形部材５ａと後端保形部材５ｂとを同芯状に固定して、ホース１を後端保形部材５ｂに通して連通接続してあり、バッグ本体Ｂの管内への挿入方向先端側に先端案内具６を設けるとともに、挿入方向後方側、つまり、ホース１で管外から牽引して管外に回収する際の牽引方向下手側端部に、本発明によるガイド装置Ａを設けてある。
【００１８】
前記円筒体３は、周方向に沿って一連に突出する二つの環状スペーサ７をその内周側に筒体長手方向に間隔を隔てて一体形成してあり、各環状スペーサ７が円筒部材４の外周面に密着するように外嵌して、両環状スペーサ７間で、かつ、円筒体３の内周面と円筒部材４の外周面との間をグリスなどの液状シール材８の貯留部９に構成し、液状シール材８の吐出孔１０の複数を周方向に間隔を隔てて貫通形成してある。
【００１９】
そして、バッグ本体Ｂを膨らませることにより、貯留部９内の液状シール材８を加圧して、図２に示すように、吐出孔１０を通して、管内面側に接触するように膨らんだ円筒体３と管内面との間に吐出させることにより、円筒体３と管内面とが液状シール材８を介してシール状態で密着するように構成するとともに、円筒体３の外周面に、吐出孔１０を挟むように、筒体長手方向に間隔を隔てて二つの環状突起１１を一体形成して、環状突起１１を管内面側に密着させることにより、吐出孔１０から吐出した液状シール材８のバッグ長手方向への流れ出しを防止できるようにしてある。
【００２０】
前記先端案内具６は、最大外径が６０ｍｍ程度のリング状の基部ガイド体１２と、その基部ガイド体１２よりも小径の先端ガイド球体１３とをコイルスプリング１４を介して同芯状に連結して構成してあり、基部ガイド体１２を先端保形部材５ａに螺合して、挿入方向先端側に固定してある。
【００２１】
前記ガイド装置Ａは、後端保形部材５ｂに同芯状に螺合させる雌ねじ部１５を備えた鋼製筒部材１６の外面側に、管内面に対して接触可能な外径が６０ｍｍ程度の接触部材１７を、バッグ本体Ｂに対して牽引方向に弾性変位自在に同芯状に固定して設けてある。
【００２２】
前記接触部材１７は、牽引方向に対して直交又は略直交する方向に突出するように、管周方向に沿って接触可能な襞状に形成してある複数（本実施形態では３個）の円形鍔状弾性材１８を、牽引方向に間隔を隔てて、筒部材１６の外面側に接着などにより固定して設けてあり、これらの円形鍔状弾性材１８は、硬さ（タイプＡデュロメーター）が６０〜６７程度のＮＢＲ（アクリロニトリルブタジエンゴム）などで一体形成し、管内面に対する接触部位にシリコングリスなどの滑剤１９を塗布してある。
【００２３】
図３は、上記管内遮断用ガスバッグＣの使用方法を示し、曲り管部Ｅを備えた内径が８０ｍｍ程度の既設管Ｄにバッグ装着用貫通孔２０を形成し、管内に挿入し易いように０．０８ＭＰａ程度の圧力を封入して弾性変形自在に保形した状態で、貫通孔２０から挿入したバッグ本体Ｂをホース１で押し込んで、曲り管部Ｅにおいて弾性変形させながら通過させて、曲り管部Ｅを越えた遮断予定箇所に移動させ、図３（イ）に示すように、管内を遮断する。
【００２４】
そして、管内を遮断したあとのバッグ本体Ｂをホース１で管外から牽引し、曲り管部Ｅを経由して移動させて、貫通孔２０から回収する際に、図３（ロ）に示すように、バッグ本体Ｂが曲り管部Ｅで引っ掛かると、既述のように、バッグ本体Ｂをホース１で強く牽引する操作（図４（ロ））と、ホース１によるバッグ本体Ｂの牽引力を緩める操作（図４（ハ））とを必要に応じて繰り返すことにより、ガイド装置Ａの作用で、その引っ掛かりを容易に解消できるように構成してある。
【００２５】
〔第２実施形態〕
図５は、ガイド装置Ａの別実施形態を示し、接触部材１７を、牽引方向に対して直交又は略直交する方向に放射状に突出するように形成した多数の柱状弾性材２１を、牽引方向に間隔を隔てて、かつ、バッグ周方向に間隔を隔てて設けて構成してある。
その他の構成は第１実施形態と同様である。
【００２６】
〔その他の実施形態〕
１．本発明によるガイド装置は、管内検査装置を構成する管内挿入用検査体や管内面のライニング用筒体などの管内径よりも長尺の挿入体を、ワイヤーやケーブルなどの索条体で管外から牽引して、管内に引き込むために、或いは管内から引き出すために、それらの挿入体に設けてあっても良い。
２．本発明によるガイド装置は、管内面に対して接触可能な接触部材を、挿入体に対して、スプリングなどで、牽引方向に機械的に弾性変位自在に設けてあっても良い。
【図面の簡単な説明】
【００２７】
【図１】ガイド装置を設けてある挿入体の一部断面側面図
【図２】ガイド装置を設けてある挿入体の一部断面側面図
【図３】ガイド装置を設けてある挿入体の使用方法の説明図
【図４】ガイド装置の作用説明図
【図５】（イ）第２実施形態の要部側面図，（ロ）第２実施形態の要部横断面図
【図６】従来技術の説明図
【符号の説明】
【００２８】
１    索状体（ホース）
１７  接触部材
１８  弾性材
１９  滑剤
Ｂ    挿入体（バッグ本体）
Ｃ    管内遮断用ガスバッグ
Ｄ    管
【図１】
2005233307.tif 000003
【図２】
2005233307.tif 000004
【図３】
2005233307.tif 000005
【図４】
2005233307.tif 000006
【図５】
2005233307.tif 000007
【図６】
2005233307.tif 000008